【手続補正書】
【提出日】平成29年4月18日(2017.4.18)
【手続補正１】
【補正対象書類名】明細書
【補正対象項目名】発明の名称
【補正方法】変更
【補正の内容】
【発明の名称】印刷装置、印刷装置の制御方法
【手続補正２】
【補正対象書類名】明細書
【補正対象項目名】０００１
【補正方法】変更
【補正の内容】
【０００１】
本発明は、印刷装置における電源管理技術に関するものである。
【手続補正３】
【補正対象書類名】明細書
【補正対象項目名】０００２
【補正方法】変更
【補正の内容】
【０００２】
故障、会社規定、定期メンテナンス等によって画像形成装置の電源がＯＦＦにされ、一定の時間帯・条件でその電源をＯＮにすることが禁止されることがあり、その間は電源をＯＦＦ状態に保持することが望まれる。係る技術の１つとして、消費電力の小さい第二の電力状態を備える画像形成装置において、起動条件を満たさない場合には第二の電力状態から第一の電力状態に復帰させない、という技術がある（特許文献１）。
【手続補正４】
【補正対象書類名】明細書
【補正対象項目名】０００４
【補正方法】変更
【補正の内容】
【０００４】
上記特許文献１に記載されている手法では、第二の電力状態を持つことで余計な電力を消費することになる。また、管理者はこの手法を用いて画像形成装置を第二の電力状態に遷移させた場合、起動条件を修正することができない、という問題がある。
【手続補正５】
【補正対象書類名】明細書
【補正対象項目名】０００５
【補正方法】変更
【補正の内容】
【０００５】
本発明はこのような問題に鑑みてなされたものであり、特定の条件下ではより省電力で印刷装置を維持させるための技術を提供する。
【手続補正６】
【補正対象書類名】明細書
【補正対象項目名】０００６
【補正方法】変更
【補正の内容】
【０００６】
本発明の一様態は、印刷装置であって、
制御部と、
印刷部と、
前記印刷装置がオフである少なくとも１つの期間を示す情報を保持する不揮発性の記憶部と、
少なくとも前記制御部、前記印刷部、前記記憶部に対して電力を供給可能な電力供給部と
を備え、
前記印刷装置がオフである場合には、少なくとも前記制御部、前記印刷部、前記記憶部に電力は供給されず、
前記印刷装置が、前記印刷装置をオンにするユーザ指示を受け付けると、
前記電力供給部は、少なくとも前記制御部及び前記記憶部には電力を供給し、
前記電力供給部によって電力が供給された前記制御部は、前記電力供給部によって電力が供給された前記記憶部に格納されている前記情報を読み出し、現在時刻を取得し、前記印刷装置をオフに移行させるか否かを前記現在時刻と前記情報とに基づいて判断し、前記電力供給部に前記印刷部への電力供給の開始を指示するか、若しくは前記電力供給部に前記制御部及び前記記憶部への電力供給の停止を指示するか、前記判断の結果に従って制御する
ことを特徴とする。
【手続補正７】
【補正対象書類名】明細書
【補正対象項目名】０００７
【補正方法】変更
【補正の内容】
【０００７】
本発明の構成によれば、特定の条件下ではより省電力で印刷装置を維持させることができる。
【手続補正８】
【補正対象書類名】明細書
【補正対象項目名】０００８
【補正方法】変更
【補正の内容】
【０００８】
【図１】画像形成装置の構成例を示すブロック図。
【図２】コントローラ３及びＮＦＣデバイス１０の構成例を示すブロック図。
【図３】電源がオンの状態、オフの状態について説明する図。
【図４】ＮＦＣデバイス１０の動作則について説明する図。
【図５】コントローラ３及びＮＦＣチップ１０２が行う処理を示す図。
【図６】コントローラ３及びＮＦＣチップ１０２が行う処理を示す図。
【図７】ＮＦＣチップ１０２が行う処理を示す図。
【図８】条件情報のフォーマットの一例を示す図。
【手続補正９】
【補正対象書類名】特許請求の範囲
【補正対象項目名】全文
【補正方法】変更
【補正の内容】
【特許請求の範囲】
【請求項１】
印刷装置であって、
制御部と、
印刷部と、
前記印刷装置がオフである少なくとも１つの期間を示す情報を保持する不揮発性の記憶部と、
少なくとも前記制御部、前記印刷部、前記記憶部に対して電力を供給可能な電力供給部と
を備え、
前記印刷装置がオフである場合には、少なくとも前記制御部、前記印刷部、前記記憶部に電力は供給されず、
前記印刷装置が、前記印刷装置をオンにするユーザ指示を受け付けると、
前記電力供給部は、少なくとも前記制御部及び前記記憶部には電力を供給し、
前記電力供給部によって電力が供給された前記制御部は、前記電力供給部によって電力が供給された前記記憶部に格納されている前記情報を読み出し、現在時刻を取得し、前記印刷装置をオフに移行させるか否かを前記現在時刻と前記情報とに基づいて判断し、前記電力供給部に前記印刷部への電力供給の開始を指示するか、若しくは前記電力供給部に前記制御部及び前記記憶部への電力供給の停止を指示するか、前記判断の結果に従って制御する
ことを特徴とする印刷装置。
【請求項２】
前記記憶部は、外部装置と近距離通信を行う近距離通信装置が有する不揮発性メモリであることを特徴とする請求項１に記載の印刷装置。
【請求項３】
前記外部装置は、前記近距離通信装置と近距離通信を行うことで前記不揮発性メモリに前記情報を転送することを特徴とする請求項２に記載の印刷装置。
【請求項４】
更に、前記現在時刻が前記記憶部に格納されている前記情報が示す期間内であることを示す情報を表示する表示部を備えることを特徴とする請求項１に記載の印刷装置。
【請求項５】
前記記憶部に格納されている情報は、前記印刷装置がオフである複数の期間を示すことを特徴とする請求項１に記載の印刷装置。
【請求項６】
前記外部装置は、前記印刷装置がオフの場合には、前記近距離通信装置と近距離通信を行うことで前記不揮発性メモリに前記情報を転送することを特徴とする請求項３に記載の印刷装置。
【請求項７】
前記不揮発性メモリは、前記外部装置から供給される電波によって、データの書き込みが可能な状態に設定されることを特徴とする請求項６に記載の印刷装置。
【請求項８】
前記制御部は前記電力供給部に対し、前記判断の結果に従って即座に、前記制御部及び前記記憶部への電力供給の停止を指示することを特徴とする請求項１に記載の印刷装置。
【請求項９】
前記制御部は、前記印刷装置をオフにしないという前記判断の結果に従って、前記電力供給部に前記印刷部への電力供給を開始するよう指示し、前記印刷装置をオフにするという前記判断の結果に従って、前記電力供給部に前記制御部及び前記記憶部への電力供給を停止させるように指示することを特徴とする請求項１に記載の印刷装置。
【請求項１０】
前記制御部は、前記電力供給部が電力を前記制御部及び前記記憶部に供給しており且つ前記印刷部へ電力を供給していないという状況において前記判断を行うことを特徴とする請求項１に記載の印刷装置。
【請求項１１】
前記印刷装置が前記印刷装置をオンにするユーザ指示を受け付けた後、前記電力供給部は、前記制御部及び前記記憶部には電力を供給し、少なくとも前記判断が行われるまでは、前記印刷部には電力を供給しないことを特徴とする請求項１０に記載の印刷装置。
【請求項１２】
前記制御部は、前記印刷装置をオフにするという前記判断の結果に従って、前記制御部及び前記記憶部には電力を供給しており且つ前記印刷部には電力を供給していない前記電力供給部に、前記制御部及び前記記憶部への電力供給を停止するよう指示することを特徴とする請求項１０に記載の印刷装置。
【請求項１３】
前記制御部は、前記印刷装置をオフにしないという前記判断の結果に従って、前記制御部及び前記記憶部には電力を供給しており且つ前記印刷部には電力を供給していない前記電力供給部に、前記印刷部への電力供給の開始を指示することを特徴とする請求項１２に記載の印刷装置。
【請求項１４】
少なくとも制御部、印刷部、不揮発性の記憶部、電力供給部を有する印刷装置の制御方法であって、
前記記憶部が、前記印刷装置がオフである少なくとも１つの期間を示す情報を保持し、
前記電力供給部が、少なくとも前記制御部、前記印刷部、前記記憶部に対して電力を供給し、
前記印刷装置がオフである場合には、少なくとも前記制御部、前記印刷部、前記記憶部に電力は供給されず、
前記印刷装置が、前記印刷装置をオンにするユーザ指示を受け付けると、
前記電力供給部は、少なくとも前記制御部及び前記記憶部には電力を供給し、
前記電力供給部によって電力が供給された前記制御部は、前記電力供給部によって電力が供給された前記記憶部に格納されている前記情報を読み出し、現在時刻を取得し、前記印刷装置をオフに移行させるか否かを前記現在時刻と前記情報とに基づいて判断し、前記電力供給部に前記印刷部への電力供給の開始を指示するか、若しくは前記電力供給部に前記制御部及び前記記憶部への電力供給の停止を指示するか、前記判断の結果に従って制御する
ことを特徴とする印刷装置の制御方法。
【請求項１５】
前記ユーザ指示を受け付けた後、少なくとも前記判断が行われるまでは前記印刷部には電力は供給されないことを特徴とする請求項１４に記載の印刷装置の制御方法。
【請求項１６】
印刷装置のコンピュータに、請求項１４又は１５に記載の印刷装置の制御方法を実行させるためのコンピュータプログラム。
【手続補正１０】
【補正対象書類名】図面
【補正対象項目名】図７
【補正方法】変更
【補正の内容】
【図７】
2015205438.tif 000001